(57)【要約】  【課題】火災時の煙の被害を防止する通気性に優れた地下鉄などの地下施設用天井構造を提供する。  【解決手段】コンクリート天壁の下方に、吊持体によりコンクリート天壁に吊持された第１の下地材を配置する。この第１の下地材の下方に防水受パネル体を配置し、取付金具の挟持部を第１の下地材に結合し取付金具の結合部に防水受パネル体を結合する。吊金具の上部を防水受パネル体に係合し吊金具の下部に第２の下地材を固定する。この第２の下地材に天井内装用有孔板材を取り付け、地下施設のコンクリート天壁の下方を二重構造のパネル体で覆い、コンクリート天壁の下方を防水受パネルと天井内装用有孔板材との二重構造で覆い、防水受パネルと天井内装用有孔板材との間に通気用空間部を形成する。【選択図】  図１
2008184866.tif 000002
【特許請求の範囲】
【請求項１】
地下施設のコンクリート天壁の下方を二重構造のパネル体で覆い、コンクリート天壁の下方に防水及び内装面を形成するようにした地下施設用天井構造であって、前記二重構造を、
前記コンクリート天壁の下方に水平に配置され、吊持体により前記コンクリート天壁に吊持された第１の下地材と、
複数の金属製のパネルから成り、隣接するパネルとの隣接部分が互いに合接するとともに、これら合接部が互いに連結して前記第１の下地材の下方に配置された防水受パネル体と、
前記第１の下地材に結合可能な挟持部と前記防水受パネル体に結合可能な結合部を有し前記挟持部が前記第１の下地材に結合し前記結合部が前記防水受パネル体に結合する取付金具と、
上部に係合部を有し下部に取付部が形成された細長の金属部材から成り、係合部が前記防水受パネル体に係合する吊金具と、
複数の細長状の金属材から成り、前記防水受パネル体の下方に所定の間隔を有して複数配置され各金属材が前記吊金具の下部の取付部に固定された第２の下地材と、
複数の有孔パネルから成り、各有孔パネルが前記第２の下地材に取り付けられた天井内装用有孔板材とで構成し、
前記コンクリート天壁の下方を前記防水受パネルと前記天井内装用有孔板材とで覆い、前記防水受パネルと前記天井内装用有孔板材との間に通気用空間部を形成したことを特徴とする地下鉄施設用天井構造。
【請求項２】
前記防水受パネル体の隣接するパネルは隣接部が互いに合接するとともにこれら合接部が互いに嵌合して連結し、該嵌合部に前記取付金具の結合部が結合し、前記パネルの合接部に前記吊金具の係合部が係合していることを特徴とする請求項１に記載の地下鉄施設用天井構造。
【請求項３】
前記通気用空間部に排気装置を設けたことを特徴とする請求項１に記載の地下鉄施設用天井構造。
【請求項４】
前記第１及び第２の下地材が鉄鋼のアングル材であることを特徴とする請求項１に記載の地下鉄施設用天井構造。
【発明の詳細な説明】
【技術分野】
【０００１】
本発明は、地下鉄の駅構内や地下道などの地下施設用の天井構造に関する。
【背景技術】
【０００２】
地下鉄の駅構内や地下道などの地下施設の天井構造はコンクリートの天壁にボルト等を用いて下地材を取り付け、この下地材にビスなどによって天井仕上げ材を固定した構成が一般的である。また、一般の屋根構造において、アングルなどの下地材の下方に屋根材を取り付ける工法が知られている（例えば特許文献１参照）。
【特許文献１】特開平９−１２５６１４号公報
【発明の開示】
【発明が解決しようとする課題】
【０００３】
地下鉄の駅構内や地下道で火災事故が発生した場合、火災事故による被害は、火による被害よりは火災により生じる煙による被害のほうが大きいことが知られている。
本発明は、地下施設内で火災が発生したときの煙による被害の拡大を防止することを目的とするものである。
【課題を解決するための手段】
【０００４】
上記目的を達成するため本発明は、地下施設のコンクリート天壁の下方を二重構造のパネル体で覆い、コンクリート天壁の下方に防水及び内装面を形成するようにした地下施設用天井構造であって、前記二重構造を、前記コンクリート天壁の下方に水平に配置され、吊持体により前記コンクリート天壁に吊持された第１の下地材と、複数の金属製のパネルから成り、隣接するパネルとの隣接部分が互いに合接するとともに、これら合接部が互いに連結して前記第１の下地材の下方に配置された防水受パネル体と、前記第１の下地材に結合可能な挟持部と前記防水受パネル体に結合可能な結合部を有し前記挟持部が前記第１の下地材に結合し前記結合部が前記防水受パネル体に結合する取付金具と、上部に係合部を有し下部に取付部が形成された細長の金属部材から成り、係合部が前記防水受パネル体に係合する吊金具と、複数の細長状の金属材から成り、前記防水受パネル体の下方に所定の間隔を有して複数配置され各金属材が前記吊金具の下部の取付部に固定された第２の下地材と、複数の有孔パネルから成り、各有孔パネルが前記第２の下地材に取り付けられた天井内装用有孔板材とで構成し、前記コンクリート天壁の下方を前記防水受パネルと前記天井内装用有孔板材とで覆い、前記防水受パネルと前記天井内装用有孔板材との間に通気用空間部を形成したものである。
また本発明は、前記防水受パネル体の隣接するパネルは隣接部が互いに合接するとともにこれら合接部が互いに嵌合して連結し、該嵌合部に前記取付金具の結合部が結合し、前記パネルの合接部に前記吊金具の係合部が係合していることを特徴とする。
また本発明は、前記通気用空間部に排気装置を設けたものである。
また本発明は、前記第１及び第２の下地材が鉄鋼のアングル材であることを特徴とするものである。
【発明の効果】
【０００５】
本発明は、地下施設内で火災が発生し煙が出てもこの煙を天井内装用有孔板材の孔を通じて通気用空間部に導き、通気用空間部から所定の安全な場所に排気することができ、火災事故における煙の被害の拡大を防止することができる。
【発明を実施するための最良の形態】
【０００６】
以下に、本発明の実施の形態を添付した図面を参照して詳細に説明する。
図１は本発明に係る、地下鉄の駅構内や地下道などの地下施設用天井構造を示し、駅構内や地下道などに構築されているコンクリート天壁１にインサートボルトからなる吊持体３を介してＬ型鋼などのアングル材から成る第１の下地材２が配設され、この下地材２の下方に防水受パネル体４が吊持されている。防水受パネル体４は、複数の金属板から成るパネル４ａが並列方向に接合されて構成されている。
【０００７】
各パネル４ａは両側に立ち上がり部４ｂ，４ｃが屈折形成され、横断面全体形状が略横コ字状に形成されている。各パネル４ａの一方の立ち上がり部４ｃを構成する側壁の上部には、外側に屈折する水平部と下方に屈折する垂下部とから成る横コ字状の外側嵌合部４ｄが形成されている。各パネル４ａの他方の立ち上がり部４ｂを構成する側壁には、内側に屈折する水平部と下方に屈折する垂下部とから成る横コ字状の内側嵌合部４ｅが形成されている。
【０００８】
前記各パネル４ａは、吊金具６の立ち上がり部６ａの上部に形成された係合部６ｂを中に挟んで、隣接する外側嵌合部４ｄと内側嵌合部４ｅが嵌合結合し、該嵌合部４ｆが、鋼材などの金属から成る取付金具８のＵ字状のスライド結合部８ａに密嵌し結合している。前記取付金具８は、側面形状がＵ字状の挟持部８ｂと、Ｕ字状のスライド結合部８ａと当て板部８ｃとから構成されている。前記取付金具８のスライド結合部８ａは、前記互いに隣接するパネル４ａの外側嵌合部４ｄと内側嵌合部４ｅの各垂下部が重なった、前記嵌合部４ｆの二重垂下部１０にスライド自在に密嵌し、該二重垂下部１０に結合している。
【０００９】
取付金具８の当板部８ｃは、パネル４ａの立ち上がり部４ｂの側面に当接し、取付金具８のスライド結合部８ａとパネル４ａとの連結部を強固に構成している。吊金具６の係合部６ｂは、パネル４ａの立ち上がり部４ｂの上部に係合し、該立ち上がり部４ｂに吊持されている。取付金具８の挟持部８ｂは、下地材２の水平板部に圧嵌し、これに固定されている。吊金具６の立ち上がり部６ａの下端には、取付部６ｃが形成され、これにＬ型鋼などのアングル材からなる第２の下地材１２が固定され、該下地材１２に天井内装用有孔板材１４が取り付けられている。
【００１０】
天井内装用有孔板材１４は複数の有孔パネル１４ａから構成され、各有孔パネル１４ａの一方に形成された取付部１４ｂが下地材１２にビスなどにより固定され、各有孔パネル１４ａの他方の差込部に隣接する有孔パネル１４ａの一方に形成された突片部が挿入されている。前記天井内装用有孔板材１４と防水受パネル体４との間には、上下方向に所定の幅を有する空間部が形成され、該空間部は吸気管を通じて外気に連通するとともに、排気管を通じて外部あるいは地下施設内部の広い安全な排気場所に連通し、通気用空間部１６を構成している。
【００１１】
この通気用空間部１６には照明器具１８が配置され、該照明器具１８は、天井内装用有孔板材１４の内側に取り付けられている。前記防水受パネル体４の端部には樋（図示省略）が配置され、防水受パネル体４の上面に落下したコンクリート天壁１からの漏水が、前記樋を介して所定の場所に排水されるように構成されている。前記通気用空間部１６にはファンから成る排気装置（図示省略）が配置され、通気用空間部１６内に新鮮な空気の流れを発生させている。
【００１２】
この通気用空間部１６内の空気の流れにより、地下施設の室内の空気は天井内装用有孔板材１４の孔に吸い込まれ、室内の空気は通気用空間部１６内に移動する。この空気の移動は、排気装置の排気力により、強力に発生するが、排気装置がなくとも、外気と連通する通気用空間部１６の空気流による負圧により、室内にある程度の空気の流れが生じる。そのため、排気装置の設置は望ましいが必須のものではない。
【００１３】
上記実施形態では、吊金具６の上部の係合部６ｂを防水受パネル体４の立ち上がり部４ｂの上部に係合しているが、この係合位置は防水受パネル４のどこでもよい。図４に示す実施形態では、パネル４ａの立ち上がり部４ｂ，４ｃの下部に水平方向に延びる凹部４ｇ，４ｈを屈曲形成し、この凹部４ｇ，４ｈに吊金具６に形成したＴ字状の係合部６ｂを係合している。
【００１４】
また、本発明の実施に際して、防水受パネル体４の各パネルの形状及びパネル間の結合構造は、特に図示する構成に限定されるものではない。また天井内装用有孔板材１４も同様に各有孔パネル１４ａの形状及び有孔パネル１４ａ間の結合構造は、特に図示する構成に限定されるものではない。また取付金具８と防水受パネル体４との間の取付構造及び天井内装用有孔板材１４と下地材１２との間の取付構造も特に図示する構造に限定されるものではない。
【図面の簡単な説明】
【００１５】
【図１】本発明に係る地下施設用天井構造を示す正面断面図である。
【図２】地下施設用天井構造の側面断面図である。
【図３】吊金具の外観図である。
【図４】本発明に係る地下施設用天井構造の他の実施形態を示す正面断面図である。
【図５】吊金具の他の実施形態を示す外観図である。
【符号の説明】
【００１６】
１      コンクリート天壁  
２      下地材
３      インサートボルト
４      防水受パネル体
４ａ    パネル
６      吊金具
８      取付金具
８ａ    結合部
８ｂ    挟持部
８ｃ    当て板部
１０    二重垂下部
１２    下地材
１４    天井内装用有孔板材
１４ａ  有孔パネル
１６    通気用空間部
１８    照明器具  
【図１】
2008184866.tif 000003
【図２】
2008184866.tif 000004
【図３】
2008184866.tif 000005
【図４】
2008184866.tif 000006
【図５】
2008184866.tif 000007
【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
地下施設のコンクリート天壁の下方を二重構造のパネル体で覆い、コンクリート天壁の下方に防水及び内装面を形成するようにした地下施設用天井構造であって、前記二重構造を、
前記コンクリート天壁の下方に水平に配置され、吊持体により前記コンクリート天壁に吊持された第１の下地材と、
複数の金属製のパネルから成り、隣接するパネルとの隣接部分が互いに合接するとともに、これら合接部が互いに連結して前記第１の下地材の下方に配置された防水受パネル体と、
前記第１の下地材に結合可能な挟持部と前記防水受パネル体に結合可能な結合部を有し前記挟持部が前記第１の下地材に結合し前記結合部が前記防水受パネル体に結合する取付金具と、
上部に係合部を有し下部に取付部が形成された細長の金属部材から成り、係合部が前記防水受パネル体に係合する吊金具と、
複数の細長状の金属材から成り、前記防水受パネル体の下方に所定の間隔を有して複数配置され各金属材が前記吊金具の下部の取付部に固定された第２の下地材と、
複数の有孔パネルから成り、各有孔パネルが前記第２の下地材に取り付けられた天井内装用有孔板材とで構成し、
前記コンクリート天壁の下方を前記防水受パネルと前記天井内装用有孔板材とで覆い、前記防水受パネルと前記天井内装用有孔板材との間に通気用空間部を形成したことを特徴とする地下施設用天井構造。
【請求項２】
前記防水受パネル体の隣接するパネルは隣接部が互いに合接するとともにこれら合接部が互いに嵌合して連結し、該嵌合部に前記取付金具の結合部が結合し、前記パネルの合接部に前記吊金具の係合部が係合していることを特徴とする請求項１に記載の地下施設用天井構造。
【請求項３】
前記通気用空間部に排気装置を設けたことを特徴とする請求項１に記載の地下施設用天井構造。
【請求項４】
前記第１及び第２の下地材が鉄鋼のアングル材であることを特徴とする請求項１に記載の地下施設用天井構造。